【手続補正書】
【提出日】平成20年5月19日(2008.5.19)
【手続補正１】
【補正対象書類名】特許請求の範囲
【補正対象項目名】全文
【補正方法】変更
【補正の内容】
【特許請求の範囲】
【請求項１】
１ｋＨｚの交流インピーダンス値が１０ｍΩ以下の内部抵抗を有する非水電解質二次電池であって、
金属製の外装容器；
前記容器内に収納された非水電解質；
前記容器内に収納された正極、リチウムの電極電位に対して０．４Ｖ以上の電位でリチウムイオンを吸蔵する活物質を有する負極および前記負極と前記正極の間に介在されたセパレータ；
前記負極に一端が接続され、純度９９重量％以上のアルミニウムまたは純度９９重量％以上のアルミニウム合金から作られる負極リード；および
前記外装容器に前記負極リードの他端と電気的に接続されるよう取り付けられ、少なくとも前記負極リードと接続される表面がＭｇ，Ｃｒ，Ｍｎ，Ｃｕ，Ｓｉ，ＦｅおよびＮｉから選ばれる少なくとも一つ以上の金属成分を含有するアルミニウム純度９９重量％未満のアルミニウム合金により形成される負極端子；
を備えることを特徴とする非水電解質二次電池。
【請求項２】
前記負極端子の少なくとも前記負極リードと接続される表面は、Ｍｇ，Ｃｒ，Ｍｎ，Ｃｕ，Ｓｉ，ＦｅおよびＮｉから選ばれる少なくとも一つ以上の金属成分を含有するアルミニウム純度が９０重量％以上、９９重量％未満のアルミニウム合金により形成されることを特徴とする請求項１記載の非水電解質二次電池。
【請求項３】
前記負極端子の少なくとも前記負極リードと接続される表面は、Ｍｇ０．５〜５重量％、Ｃｒ０．５重量％以下、Ｍｎ０．３〜２．０重量％、Ｃｕ５重量％以下，Ｓｉ１重量％以下、Ｆｅ１重量％以下およびＮｉ１重量％以下から選ばれる少なくとも一つの金属成分を含有するアルミニウム純度が９０重量％以上、９９重量％未満のアルミニウム合金により形成されることを特徴とする請求項１記載の非水電解質二次電池。
【請求項４】
前記負極端子は、銅、鉄およびニッケルから選ばれる少なくとも１つの金属からなる端子本体と、この端子本体の少なくとも前記リードが接続される表面に形成されたＭｇ，Ｃｒ，Ｍｎ，Ｃｕ，Ｓｉ，ＦｅおよびＮｉから選ばれる少なくとも一つ以上の金属成分を含有するアルミニウム純度９９重量％未満のアルミニウム合金の層とから構成されることを特徴とする請求項１記載の非水電解質二次電池。
【請求項５】
前記負極端子は、Ｍｇ，Ｃｒ，Ｍｎ，Ｃｕ，Ｓｉ，ＦｅおよびＮｉから選ばれる少なくとも一つ以上の金属成分を含有するアルミニウム純度９９重量％未満のアルミニウム合金から作られる単一構造体であることを特徴とする請求項１記載の非水電解質二次電池。
【請求項６】
前記負極の活物質は、平均粒径が１μｍ以下のチタン含有酸化物粒子であることを特徴とする請求項１記載の非水電解質二次電池。
【請求項７】
前記非水電解質は、プロピレンカーボネート、エチレンカーボネートおよびγ−ブチロラクトンの群から選ばれる少なくとも１つの有機溶媒とＬｉＰＦ6およびＬｉＢＦ4の群から選ばれる少なくとも１つの電解質とを含むことを特徴とする請求項１記載の非水電解質二次電池。
【請求項８】
前記負極は、純度９９重量％以上のアルミニウム箔またはアルミニウム合金箔から作られる集電体を有することを特徴とする請求項１記載の非水電解質二次電池。
【請求項９】
前記外装容器は、金属缶とこの金属缶の開口部に接合された金属製の蓋体とから構成され、これら金属缶および蓋体のうちの少なくとも金属缶はＭｇ，ＭｎおよびＦｅから選ばれる少なくとも一つの金属成分を含有するアルミニウム合金から作られることを特徴とする請求項１記載の非水電解質二次電池。
【請求項１０】
請求項１記載の非水電解質二次電池を複数接続したことを特徴とする組電池。
【請求項１１】
１ｋＨｚの交流インピーダンス値が１０ｍΩ以下の内部抵抗を有する非水電解質二次電池であって、
負極端子を兼ねる金属製の外装容器；
前記容器内に収納された非水電解質；
前記容器内に収納された正極、リチウムの電極電位に対して０．４Ｖ以上の電位でリチウムイオンを吸蔵する活物質を有する負極および前記負極と前記正極の間に介在されたセパレータ；および
一端が前記負極に接続され、他端が前記容器の内面に接続された純度９９重量％以上のアルミニウムまたは純度９９重量％以上のアルミニウム合金から作られる負極リード；
を備え、
前記外装容器は、少なくとも前記負極リードと接続される内面がＭｇ，Ｃｒ，Ｍｎ，Ｃｕ，Ｓｉ，ＦｅおよびＮｉから選ばれる少なくとも一つ以上の金属成分を含有するアルミニウム純度９９重量％未満のアルミニウム合金により形成されることを特徴とする非水電解質二次電池。
【請求項１２】
前記外装容器の少なくとも前記負極リードと接続される表面は、Ｍｇ，Ｃｒ，Ｍｎ，Ｃｕ，Ｓｉ，ＦｅおよびＮｉから選ばれる少なくとも一つ以上の金属成分を含有するアルミニウム純度が９０重量％以上、９９重量％未満のアルミニウム合金により形成される請求項１１記載の非水電解質二次電池。
【請求項１３】
前記外装容器の少なくとも前記負極リードと接続される表面は、Ｍｇ０．５〜５重量％、Ｃｒ０．５重量％以下、Ｍｎ０．３〜２．０重量％、Ｃｕ５重量％以下，Ｓｉ１重量％以下、Ｆｅ１重量％以下およびＮｉ１重量％以下から選ばれる少なくとも一つの金属成分を含有するアルミニウム純度が９０重量％以上、９９重量％未満のアルミニウム合金により形成されることを特徴とする請求項１１記載の非水電解質二次電池。
【請求項１４】
前記外装容器は、少なくとも前記負極リードと接続される内面にＭｇ，Ｃｒ，Ｍｎ，Ｃｕ，Ｓｉ，ＦｅおよびＮｉから選ばれる少なくとも一つ以上の金属成分を含有するアルミニウム純度９９重量％未満のアルミニウム合金の層が形成されることを特徴とする請求項１１記載の非水電解質二次電池。
【請求項１５】
前記外装容器は、金属缶とこの金属缶の開口部に接合された金属製の蓋体とから構成され、これら金属缶および蓋体のうちの少なくとも一方がＭｇ，Ｃｒ，Ｍｎ，Ｃｕ，Ｓｉ，ＦｅおよびＮｉから選ばれる少なくとも一つ以上の金属成分を含有するアルミニウム純度９９重量％未満のアルミニウム合金から作られることを特徴とする請求項１１記載の非水電解質二次電池。
【請求項１６】
前記負極の活物質は、平均粒径が１μｍ以下のチタン含有酸化物粒子であることを特徴とする請求項１１記載の非水電解質二次電池。
【請求項１７】
前記非水電解質は、プロピレンカーボネート、エチレンカーボネートおよびγ−ブチロラクトンの群から選ばれる少なくとも１つの有機溶媒とＬｉＰＦ6およびＬｉＢＦ4の群から選ばれる少なくとも１つの電解質とを含むことを特徴とする請求項１１記載の非水電解質二次電池。
【請求項１８】
前記負極は、純度９９重量％以上のアルミニウム箔またはアルミニウム合金箔から作られる集電体を有することを特徴とする請求項１１記載の非水電解質二次電池。
【請求項１９】
外部リードと接続されるアルミニウムまたはアルミニウム合金から作られる負極端子は、さらに前記外装容器に電気的に接続して取り付けられることを特徴とする請求項１１記載の非水電解質二次電池。
【請求項２０】
請求項１１記載の非水電解質二次電池を複数接続したことを特徴とする組電池。
【請求項２１】
前記正極の活物質は、リチウムマンガン複合酸化物、リチウムニッケル複合酸化物、リチウムコバルト複合酸化物、リチウムニッケルコバルト複合酸化物、スピネル型リチウムマンガンニッケル複合酸化物、リチウムマンガンコバルト複合酸化物、リチウムリン酸化鉄または層状構造を有するリチウムニッケルコバルトマンガン複合酸化物から選ばれることを特徴とする請求項１または１１記載の非水電解質二次電池。